(57)【要約】【課題】ハンドルを回転操作して排水弁を開弁操作した際に、ハンドルとカバー部とが擦れ合うことによる異音の発生について簡易で且つ安価な構造で容易に抑制することができると共に、意匠性を確保することもできる排水弁操作装置を提供する。【解決手段】本発明の排水弁操作装置１は、洗浄水タンク１６の立壁部２６の外側に回転操作可能に設けられた金属製のハンドル３２と、一端が洗浄水タンクの立壁部を貫いてハンドルに接続されると共に、他端が洗浄水タンク内の排水弁２２に間接的に接続されて、ハンドルの回転と共に回転することにより排水弁を開弁可能にする回転軸部３４と、洗浄水タンクの立壁部とハンドルとの間を隠蔽可能にする金属製のカバー部３８と、このカバー部内に設けられてハンドルの一方の外周面Ｓ１とカバー部の内周面Ｓ２との接触を抑制可能にする樹脂製の介在部材４０と、を有する。【選択図】図３
2018096178.tif 000002
【特許請求の範囲】
【請求項１】
便器に洗浄水を供給する洗浄水タンク装置の排水弁を開弁操作する排水弁操作装置であって、
洗浄水タンクの立壁部の外側に回転操作可能に設けられた金属製のハンドルと、
一端が上記洗浄水タンクの立壁部を貫いて上記ハンドルに接続されると共に、他端が上記洗浄水タンク内の排水弁に間接的に接続されて、上記ハンドルの回転と共に回転することにより上記排水弁を開弁可能にする回転軸部と、
上記洗浄水タンクの立壁部と上記ハンドルとの間を隠蔽可能にする金属製のカバー部と、
このカバー部内に設けられて上記ハンドル又は上記回転軸部の一方の外周面と上記カバー部の内周面との接触を抑制可能にする樹脂製の介在部材と、
を有することを特徴とする排水弁操作装置。
【請求項２】
上記回転軸部は、長手方向の寸法が断面寸法に比べて長い長尺なアームであり、その一端が上記ハンドルの一部に圧入されて固定されるものであり、上記アームの一端と他端との間には、屈曲した部分が形成されており、
上記樹脂製の介在部材は、上記カバー部内の上記ハンドルの外周面と上記カバー部の内周面との間に設けられて上記ハンドルの外周面と上記カバー部の内周面との接触を抑制可能にするものである請求項１記載の排水弁操作装置。
【請求項３】
上記回転軸部は、金属製である請求項１又は２記載の排水弁操作装置。
【請求項４】
上記樹脂製の介在部材は、暗色の樹脂材料で形成されている請求項１乃至３に記載の排水弁操作装置。
【請求項５】
上記請求項１乃至４の何れか１項に記載の排水弁操作装置を備えた洗浄水タンク装置。
【請求項６】
上記請求項５記載の洗浄水タンク装置を備えた水洗大便器。
【発明の詳細な説明】
【技術分野】
【０００１】
本発明は、排水弁操作装置、洗浄水タンク装置、及び水洗大便器に係り、特に、便器に洗浄水を供給する洗浄水タンク装置の排水弁を開弁操作する排水弁操作装置、この排水弁操作装置を備えた洗浄水タンク装置、及び、この洗浄水タンク装置を備えた水洗大便器に関する。
【背景技術】
【０００２】
従来から、便器に洗浄水を供給する洗浄水タンク装置の排水弁を開弁操作する排水弁操作装置として、例えば、特許文献１に記載されているように、合成樹脂製の外側スピンドルガイドと、この外側スピンドルガイドの内側に同心状に且つ回転可能に設けられた金属製の内側スピンドルガイドと、この内側スピンドルガイドの一端に固着された金属製ハンドルと、を備え、これらの外側及び内側のスピンドルガイドの双方の摺動面の間に合成樹脂製の鍔付リングが介在して設けられているものが知られている。
【先行技術文献】
【特許文献】
【０００３】
【特許文献１】実開昭６０−６６７６４号公報
【発明の概要】
【発明が解決しようとする課題】
【０００４】
また、近年の国内外における水洗大便器や洗浄水タンク装置のニーズのグローバル化とデザインの多様化に伴って、排水弁操作装置の操作ハンドルやその周辺部分の意匠性を向上させるニーズも高まっており、例えば、操作ハンドルについては、高級感を演出する光沢のあるメッキ等の金属製のものを採用したりしているが、上述した従来のような排水弁操作装置においては、金属製ハンドルに隣接した洗浄水タンクの立壁と金属製ハンドルとの間の隙間が露出しているため、このような露出した隙間により排水弁操作装置や洗浄水タンクの意匠性についても低下しているという問題がある。
また、洗浄水タンクの立壁と金属製ハンドルとの隙間を隠蔽するためにカバー部材等で隠蔽すると共に、このカバー部材についても高級感を演出して意匠性を確保するために、金属製のものを採用することも考えられるが、これらの金属製の操作ハンドルやカバー無部材は製造誤差が生じやすいことに加え、陶器製の洗浄水タンクでも製造誤差が生じやすいため、組み付けた状態で金属製ハンドルがカバー部材に対してがたつくという問題もある。
さらに、このように金属製ハンドルがカバー部材に対してがたついた状態でハンドルを回転操作して際には、金属製のハンドルとカバー部材同士が擦れ合うことにより異音（金属音）が発生するおそれがあるという問題もある。
また、このような金属製のハンドルとカバー部材同士が擦れ合うことによる異音（金属音）の発生を抑制するために、擦れ合う部分に潤滑油等を付与することも考えられるが、長期間使用する程、潤滑状態も低下し、定期的なメンテナンスはコストアップにもつながるという問題もある。
したがって、いかに簡易でかつ安価な構造で、金属製のハンドルとカバー部材との間のがたつきを抑制しつつ、ハンドルの回転操作時に発生する異音（金属音）を抑制するかが従来から要請された課題となっている。
【０００５】
そこで、本発明は、上述した従来技術の問題点及び従来から要請された課題を解決するためになされたものであり、ハンドルを回転操作して排水弁を開弁操作した際に、ハンドルとカバー部とが擦れ合うことによる異音の発生について簡易で且つ安価な構造で容易に抑制することができると共に、意匠性を確保することもできる排水弁操作装置を提供することを目的としている。
【課題を解決するための手段】
【０００６】
上述した目的を達成するために、本発明は、便器に洗浄水を供給する洗浄水タンク装置の排水弁を開弁操作する排水弁操作装置であって、洗浄水タンクの立壁部の外側に回転操作可能に設けられた金属製のハンドルと、一端が上記洗浄水タンクの立壁部を貫いて上記ハンドルに接続されると共に、他端が上記洗浄水タンク内の排水弁に間接的に接続されて、上記ハンドルの回転と共に回転することにより上記排水弁を開弁可能にする回転軸部と、上記洗浄水タンクの立壁部と上記ハンドルとの間を隠蔽可能にする金属製のカバー部と、このカバー部内に設けられて上記ハンドル又は上記回転軸部の一方の外周面と上記カバー部の内周面との接触を抑制可能にする樹脂製の介在部材と、を有することを特徴としている。
このように構成された本発明においては、カバー部内に設けられて金属製のハンドル又は回転軸部の一方の外周面とカバー部の内周面との接触を抑制可能にする樹脂製の介在部材により、ハンドルが回転した際に、金属製のハンドル又は回転軸部の外周面とカバー部の内周面とが擦れ合うことによる異音（金属音）の発生について簡易で且つ安価な構造によって容易に抑制することができる。また、洗浄水タンクの立壁部とハンドルとの間の隙間を隠蔽する金属製のカバー部により意匠性を確保することもできる。
【０００７】
本発明において、好ましくは、上記回転軸部は、長手方向の寸法が断面寸法に比べて長い長尺なアームであり、その一端が上記ハンドルの一部に圧入されて固定されるものであり、上記アームの一端と他端との間には、屈曲した部分が形成されており、上記樹脂製の介在部材は、上記カバー部内の上記ハンドルの外周面と上記カバー部の内周面との間に設けられて上記ハンドルの外周面と上記カバー部の内周面との接触を抑制可能にするものである。
このように構成された本発明においては、長手方向の寸法が断面寸法に長い長尺なアームである回転軸部の一端がハンドルに圧入されて固定されていても、カバー部内のハンドルの外周面とカバー部の内周面のとの間に樹脂製の介在部材が設けられているため、ハンドルの外周面とカバー部の内周面との間に段差やがたつきが生ずることを効果的に抑制することができる。
したがって、ハンドルが回転した際に、金属製のハンドルの外周面とカバー部の内周面とが擦れ合うことによる異音（金属音）の発生について簡易で且つ安価な構造によって容易に抑制することができる。
【０００８】
本発明において、好ましくは、上記回転軸部は、金属製である。
このように構成された本発明においては、回転軸部が金属製であることにより、例えば、樹脂製の回転軸部に比べて、回転軸部の製造誤差が生じ易くても、樹脂製の介在部材により、ハンドルの外周面とカバー部の内周面との間に段差やがたつきが生ずることを効果的に抑制することができる。
したがって、ハンドルが回転した際に、金属製のハンドル又は回転軸部の外周面とカバー部の内周面とが擦れ合うことによる異音（金属音）の発生について簡易で且つ安価な構造によって容易に抑制することができる。
【０００９】
本発明において、好ましくは、上記樹脂製の介在部材は、暗色の樹脂材料で形成されている。
このように構成された本発明においては、樹脂製の介在部材が暗色の樹脂材料で形成されていることにより、介在部材が外見から視認され難いため、介在部材を含む周辺部分の意匠性や装置全体の意匠性が低下することを抑制することができる。
【００１０】
つぎに、本発明は、上記操作装置を備えた洗浄水タンク装置である。
このように構成された本発明においては、排水弁操作装置のハンドルが回転した際に、金属製のハンドル又は回転軸部の外周面とカバー部の内周面とが擦れ合うことによる異音（金属音）の発生について、樹脂製の介在部材により簡易で且つ安価な構造で容易に抑制することができる洗浄水タンク装置を提供することができる。
【００１１】
つぎに、本発明は、上記洗浄水タンク装置を備えた水洗大便器である。
このように構成された本発明においては、排水弁操作装置のハンドルが回転した際に、金属製のハンドル又は回転軸部の外周面とカバー部の内周面とが擦れ合うことによる異音（金属音）の発生について、樹脂製の介在部材により簡易で且つ安価な構造で容易に抑制することができる洗浄水タンク装置を備えた水洗大便器を提供することができる。
【発明の効果】
【００１２】
本発明の排水弁操作装置によれば、ハンドルを回転操作して排水弁を開弁操作した際に、ハンドルとカバー部とが擦れ合うことによる異音の発生について簡易で且つ安価な構造で容易に抑制することができると共に、意匠性を確保することもできる。
【図面の簡単な説明】
【００１３】
【図１】本発明の一実施形態による排水弁操作装置を備えた洗浄水タンク装置が適用された水洗大便器において、便座及び便蓋を取り外した状態を示す斜視図である。
【図２】本発明の一実施形態による排水弁操作装置を備えた洗浄水タンク装置の内部構造を示す概略正面断面図である。
【図３】本発明の一実施形態による排水弁操作装置の分解斜視図である。
【図４】本発明の一実施形態による排水弁操作装置の中央断面図である。
【図５】図４に示す本発明の一実施形態による排水弁操作装置のＡ部を拡大した拡大断面図である。
【発明を実施するための形態】
【００１４】
つぎに、添付図面により、本発明の一実施形態による排水弁操作装置、この排水弁操作装置を備えた洗浄水タンク装置、及び、この洗浄水タンク装置を備えた水洗大便器について説明する。
まず、図１により、本発明の一実施形態による排水弁操作装置を備えた洗浄水タンク装置が適用される水洗大便器について説明する。
図１は、本発明の一実施形態による排水弁操作装置を備えた洗浄水タンク装置が適用された水洗大便器において、便座及び便蓋を取り外した状態を示す斜視図である。
【００１５】
図１に示すように、本発明の一実施形態による排水弁操作装置１を備えた洗浄水タンク装置２が適用される水洗大便器３は、サイホン作用を利用してボウル部内の汚物を吸い込んで排水トラップ管路から一気に外部に排出する、いわゆる、サイホン式の水洗大便器である。この水洗大便器３は、陶器製の便器本体４を備えており、この便器本体４の上面後方には、便器本体４に洗浄水を供給する洗浄水タンク装置２が設けられている。
なお、以下、水洗大便器３の便器本体４及び洗浄水タンク装置２の説明では、便器本体４の前方から見て左右方向の左側を「左側」とし、便器本体４の前方から見て左右方向の右側を「右側」として説明する。
また、図１に示すように、便器本体４は、汚物を受けるボウル部６を備えており、このボウル部６の下部には、排水トラップ管路８の入口８ａが設けられている。また、排水トラップ管路８は、その入口８ａよりも下流側の管路がボウル部６の後方に配置されている。
さらに、図１にしめすように、便器本体４のボウル部６の上縁には、内側にオーバーハングしたリム１０と、便器本体４の後方側の内部に形成される導水路（図示せず）から供給される洗浄水を吐水する第１吐水口１２が形成されている。この第１吐水口１２からボウル部６内に吐水された洗浄水は、旋回しながら下降してボウル部６のボウル面を洗浄するようになっている。
【００１６】
つぎに、ボウル部６内には、溜水面Ｗ０が形成されている。また、この溜水面Ｗ０より下方のボウル部６の左側壁面には、便器本体４の後方側の内部に形成される導水路（図示せず）から供給される洗浄水を吐水する第２吐水口１４が形成されており、この第２吐水口１４から吐水される洗浄水が、ボウル部６内の溜水を上下方向に旋回させる旋回流を生じさせるようになっている。
なお、本実施形態では、上述したサイホン式の水洗大便器３に洗浄水タンク装置２を適用した例について説明するが、このようなサイホン式の水洗大便器３に限定されず、ボウル部内の水の落差による流水作用で汚物を押し流す、いわゆる、洗い落し式の水洗大便器等の他のタイプの水洗便器にも適用可能である。
【００１７】
つぎに、図２により、洗浄水タンク装置２の内部構造について説明する。
図２は、本発明の一実施形態による排水弁操作装置を備えた洗浄水タンク装置の内部構造を示す概略正面断面図である。
図２に示すように、洗浄水タンク装置２は、水洗大便器３の便器本体４のボウル部６を洗浄する洗浄水を貯水する洗浄水タンク１６を備えている。この洗浄水タンク１６の内部には、水道等の外部の給水源（図示せず）から供給される洗浄水を給水する給水装置２０が設けられていると共に、洗浄水タンク１６の底部の排水口１８を開閉する排水弁体２２を含む排水弁装置２４が設けられている。
さらに、洗浄水タンク装置２は、洗浄水タンク１６の左側の内部及び外部には、排水弁装置２４の排水弁体２２の開弁操作を可能にする本実施形態の排水弁操作装置１が設けられている。
なお、図２においては、洗浄水タンク１６の満水水位及び死水水位（最低水位）をそれぞれ「ＷＬ０」及び「ＤＷＬ」で示しているが、これらの洗浄水タンク１６内の水位ＷＬ０，ＤＷＬは、便器の種類に応じて設定されている。
また、洗浄水タンク１６の排水口１８は、便器本体４の導水路（図示せず）と連通している。そして、排水弁操作装置１の開弁操作により排水弁装置２４の排水弁体２２が開弁することにより、洗浄水タンク１６内の洗浄水が排水口１８から便器本体４の導水路（図示せず）へと供給されるようになっている。
【００１８】
つぎに、図２〜図５を参照して、本発明の一実施形態による排水弁操作装置の具体的な構造について説明する。
図３は、本発明の一実施形態による排水弁操作装置の分解斜視図である。また、図４は、本発明の一実施形態による排水弁操作装置の中央断面図である。さらに、図５は、図４に示す本発明の一実施形態による排水弁操作装置のＡ部を拡大した拡大断面図である。
まず、図２〜図４に示すように、本実施形態による排水弁操作装置１は、洗浄水タンク１６の立壁部である左側壁２６の取付穴２６ａに外側から挿入されて取り付けられた筒状の樹脂製ガイド部材２８を備えている。このガイド部材２８が取り付けられた状態では、洗浄水タンク１６の左側壁２６の外側に位置するガイド部材２８の左端から、洗浄水タンク１６内に位置する右端までほぼ水平方向に延びている（図４参照）。
また、図３及び図４に示すように、ガイド部材２８の外周面の一部には雄ねじ２８ａが形成されており、この雄ねじ２８ａにナット３０が螺合されることにより、ガイド部材２８が洗浄水タンク１６の左側壁２６に固定されるようになっている。
【００１９】
つぎに、図２〜図４に示すように、排水弁操作装置１は、洗浄水タンク１６の左側壁２６の外側に回転操作可能に設けられたニッケルクロムメッキ加工等が施された光沢のある金属製のハンドル３２を備えている。
図５に示すように、このハンドル３２は、その右端がガイド部材２８の挿入穴２８ｂに部分的に挿入されており、左右方向の中心軸線Ａ１回りに手動で回転操作することにより、ガイド部材２８に対して摺動回転可能となっている。
なお、本実施形態では、排水弁操作装置１の金属製のハンドル３２が洗浄水タンク１６の左側壁２６外側に配置された形態について説明するが、ハンドル３２については、洗浄水タンク１６の右側壁の外側に配置された形態であってもよい。
【００２０】
つぎに、図２〜図５に示すように、排水弁操作装置１は、一端（左端）が洗浄水タンク１６の左側壁２６を貫いてハンドル３２に接続される回転軸部である回転軸部材３４を備えている。
ここで、回転軸部材３４としては、黄銅等の金属製の中実の丸棒部材が採用されており、長手方向の寸法が断面寸法に比べて長い長尺なアームである。
また、この回転軸部材３４の一端は、ハンドル３２の一部に圧入されて固定されるものであり、回転軸部材３４の一端（左端）と他端（右端）との間の数箇所には、屈曲した部分である屈曲部３４ａ，３４ｂ，３４ｃが形成されている。これにより、回転軸部材３４は、各屈曲部３４ａ，３４ｂ，３４ｃにおいて、ほぼ直角に曲げ加工が行われることにより、クランク形状に形成されている。
より具体的に説明すると、図５に示すように、ハンドル３２の右側端部には、回転軸部材３４の左端を圧入するための圧入用の取付穴３２ａが左右方向の中心軸線Ａ１に沿って形成されている。そして、図４及び図５に示すように、回転軸部材３４の左端は、ガイド部材２８の挿入穴２８ｂの右側から挿入された後、この挿入穴２８ｂを貫いた状態で、回転軸部材３４の左端の直径よりもわずかに小さい直径の取付穴３２ａに圧入されて、ハンドル３２に固定されるようになっている。
さらに、図３及び図４に示すように、回転軸部材３４は、その左端がハンドル３２の取付穴３２ａに圧入された後、回転軸部材３４の長手方向の途中部分の三箇所の屈曲部３４ａ，３４ｂ，３４ｃのそれぞれにおいてほぼ直角に曲げ加工が行われることにより、クランク形状に形成されるようになっている。
【００２１】
また、図２に示すように、洗浄水タンク１６内の回転軸部材３４の他端（右端）には、鎖３６の一端が取り付けられており、この鎖３６の他端は、排水弁装置２４の排水弁体２２の一部に接続されている。すなわち、回転軸部材３４は、その右端が鎖３６を介して排水弁装置２４の排水弁本体２２ａに間接的に接続されている。
ここで、図２に示すように、排水弁体２２が排水口１８を閉止している状態（待機状態）では、ハンドル３２は、その先端が下端になるような姿勢となっている。そして、この待機状態から、ハンドル３２の先端を手前側（前方側）に引き上げるように、或いは、ハンドル３２の先端を奥側（後方側）に押し上げるようにハンドル３２を中心軸線Ａ１回りに手動で回転操作すると、回転軸部材３４がハンドル３２と共に中心軸線Ａ１とほぼ同一の軸線回りで回転し、鎖３６が回転軸部材３４の右端により引き上げられて、排水弁装置２４の排水弁体２２が上昇（開弁）し、排水口１８が開放されるようになっている。
【００２２】
なお、排水弁装置２４の構成については、従来の排水弁装置の構成と同様であるため、具体的な説明は省略するが、排水弁装置２４は、上述したように、鎖３６が上方に移動した移動量により、排水弁体２２の上下方向の移動量が決定される、いわゆる、「直動式の排水弁装置」である。
したがって、ハンドル３２を回動操作することにより、鎖３６と連動して排水弁装置２４の排水弁体２２が所定時間引き上げられた際には、洗浄水タンク１６の排水口１８が所定時間開放されて、洗浄水タンク１６内の洗浄水が排水口１８から便器本体４の導水路（図示せず）に一定量だけ供給されるようになっている。
【００２３】
つぎに、図２〜図５に示すように、排水弁操作装置１は、洗浄水タンク１６の左側壁２６とハンドル３２との間を隠蔽可能にする金属製のカバー部である概ね筒状のカバー部材３８を備えている。
また、図５に示すように、このカバー部材３８は、その右側内縁部３８ａがガイド部材２８の左側端部２８ｃと洗浄水タンク１６の左側壁２６との間に挟まれて固定されている。
さらに、カバー部材３８は、上述した金属製のハンドル３２と同様に、ニッケルクロムメッキ加工等が施された光沢のある金属製のものであるため、ハンドル３２と共に装飾的な部材としても一体感と高級感を演出し、意匠性を向上させるものである。
【００２４】
つぎに、図３〜図５に示すように、排水弁操作装置１は、カバー部材３８内に設けられた円環状のスリーブ部材４０を備えている。このスリーブ部材４０は、カバー部材３８内に隠蔽されたハンドル３２の軸方向内側部分３２ｂの外周面Ｓ１とカバー部材３８の内周面Ｓ２との接触を抑制可能にする介在部材として機能するようになっている。
なお、スリーブ部材４０については、高密度ポリエチレン（ＨＤＰＥ）、ポリプロピレン（ＰＰ）、又は、ポリアセタール（ＰＯＭ）等の樹脂材料で形成されている樹脂製の介在部材であるため、ハンドル３２を回転操作した際に、金属製のハンドル３２の軸方向内側部分３２ｂの外周面Ｓ１と金属製のカバー部材３８の内周面Ｓ２とが直接的に擦れ合うことによる異音（金属音）の発生を抑制することができるようになっている。
【００２５】
ちなみに、本実施形態の排水弁操作装置１とは異なる比較例として、仮に、金属製のハンドル３２の軸方向内側部分３２ｂの外周面Ｓ１と金属製のカバー部材３８の内周面Ｓ２と間にスリーブ部材４０が設けられていない形態を想定する。このような比較例による形態では、回転軸部材３４が、その長手方向の寸法が断面寸法に長い長尺なアームであることに加えて、製造誤差が生じ易い金属製であるため、回転軸部材３４の一端がハンドル３２の圧入用の取付穴３２ａに圧入されて固定された状態では、金属製のハンドル３２の軸方向内側部分３２ｂの外周面Ｓ１と金属製のカバー部材３８の内周面Ｓ２と間に段差やがたつきが生ずることになる。
したがって、ハンドル３２を回転操作した際に、ハンドル３２とカバー部材３８との金属同士が擦れ合うことにより、異音（金属音）が発生することになる。
これに対し、図２〜図５に示す本実施形態の排水弁操作装置１では、金属製のハンドル３２の軸方向内側部分３２ｂの外周面Ｓ１と金属製のカバー部材３８の内周面Ｓ２と間に樹脂製のスリーブ部材４０が介在しているため、簡易で且つ安価な構造によって両者の段差やがたつきを抑制することができると共に、ハンドル３２とカバー部材３８との金属同士が擦れ合うことによる異音（金属音）の発生を効果的に抑制することができるようになっている。
【００２６】
ここで、本実施形態の排水弁操作装置１では、図２〜図５に示すように、スリーブ部材４０が、金属製のハンドル３２の軸方向内側部分３２ｂの外周面Ｓ１と金属製のカバー部材３８の内周面Ｓ２と間で中心軸線Ａ１とほぼ同一の軸線を中心にスムーズに摺動回転することができるように、ある程度の遊びが設けられている。
したがって、本実施形態の排水弁操作装置１において、例えば、ハンドル３２を回転操作した際、スリーブ部材４０の内周面と金属製のハンドル３２の軸方向内側部分３２ｂの外周面Ｓ１との摩擦が大きく影響している状態では、スリーブ部材４０がハンドル３２の回転と共に追従して摺動回転することもあり得る。
一方、スリーブ部材４０の外周面とカバー部材３８の内周面Ｓ２との摩擦が大きく影響している状態では、スリーブ部材４０がカバー部材３８に留まり、ハンドル３２のみがスリーブ部材４０及びカバー部材３８に対して摺動回転することもあり得る。
【００２７】
さらに、図３〜図５に示すように、スリーブ部材４０は、黒色等の暗色系の樹脂材料で形成されている。これにより、仮に、スリーブ部材４０がハンドル３２とカバー部材３８との隙間から露出したとしても、暗色であることにより外見から視認され難くなっている。
【００２８】
つぎに、図１〜図５により、本発明の一実施形態による排水弁操作装置１の作用効果について説明する。
図１〜図５に示すように、本発明の一実施形態による排水弁操作装置１によれば、金属製のカバー部材３８内に設けられて金属製のハンドル３２の外周面Ｓ１とカバー部材３８の内周面Ｓ２との接触を抑制可能にする樹脂製のスリーブ部材４０により、ハンドル３２が回転した際に、金属製のハンドル３２の外周面Ｓ１とカバー部材３８の内周面Ｓ２とが擦れ合うことによる異音（金属音）の発生について簡易で且つ安価な構造によって容易に抑制することができる。
また、洗浄水タンク１８の左側壁２６とハンドル３２との間の隙間を隠蔽する金属製のカバー部材３８により意匠性を確保することもできる。
【００２９】
また、本実施形態による排水弁操作装置１によれば、長手方向の寸法が断面寸法に長い長尺なアームである回転軸部材３４により、その一端（左端）がハンドル３２の取付穴３２ａに圧入されて固定されていても、カバー部材３８内のハンドル３２の軸方向内側部分３２ｂの外周面Ｓ１とカバー部材３８の内周面Ｓ２のとの間に樹脂製のスリーブ部材４０が設けられている。よって、ハンドル３２の軸方向内側部分３２ｂの外周面Ｓ１とカバー部材３８の内周面Ｓ２との間に段差やがたつきが生ずることを効果的に抑制することができる。
したがって、ハンドル３２が回転した際に、金属製のハンドル３２の軸方向内側部分３２ｂの外周面Ｓ１と金属製のカバー部材３８の内周面Ｓ２とが擦れ合うことによる異音（金属音）の発生について簡易で且つ安価な構造によって容易に抑制することができる。
【００３０】
さらに、本実施形態による排水弁操作装置１によれば、回転軸部材３４が金属製であることにより、例えば、樹脂製の回転軸部材に比べて、回転軸部材３４の製造誤差が生じ易くても、樹脂製のスリーブ部材４０により、ハンドル３２の軸方向内側部分３２ｂの外周面Ｓ１とカバー部材３８の内周面Ｓ２との間に段差やがたつきが生ずることを効果的に抑制することができる。
したがって、ハンドル３２が回転した際に、金属製のハンドル３２の軸方向内側部分３２ｂの外周面Ｓ１と金属製のカバー部材３８の内周面Ｓ２とが擦れ合うことによる異音（金属音）の発生について簡易で且つ安価な構造によって容易に抑制することができる。
【００３１】
また、本実施形態による排水弁操作装置１によれば、樹脂製のスリーブ部材４０が暗色の樹脂材料で形成されていることにより、スリーブ部材４０が外見から視認され難いため、スリーブ部材４０を含む周辺部分の意匠性や排水弁操作装置１の全体の意匠性が低下することを抑制することができる。
【００３２】
つぎに、本発明の一実施形態による排水弁操作装置１を備えた洗浄水タンク装置２によれば、ハンドル３２が回転した際に、金属製のハンドル３２の軸方向内側部分３２ｂの外周面Ｓ１と金属製のカバー部材３８の内周面Ｓ２とが擦れ合うことによる異音（金属音）の発生について簡易で且つ安価な構造によって容易に抑制することができる洗浄水タンク装置２を提供することができる。
【００３３】
つぎに、本発明の一実施形態による排水弁操作装置１を備えた洗浄水タンク装置２を有する水洗大便器３によれば、ハンドル３２が回転した際に、金属製のハンドル３２の軸方向内側部分３２ｂの外周面Ｓ１と金属製のカバー部材３８の内周面Ｓ２とが擦れ合うことによる異音（金属音）の発生について簡易で且つ安価な構造によって容易に抑制することができる水洗大便器３を提供することができる。
【００３４】
なお、上述した本発明の一実施形態による排水弁操作装置１においては、スリーブ部材４０が金属製のハンドル３２の軸方向内側部分３２ｂの外周面Ｓ１と金属製のカバー部材３８の内周面Ｓ２との間に設けられた形態について説明したが、他の形態についても適用可能である。
例えば、他の形態として、回転軸部材３４に相当する金属製の回転軸部の外周面が金属製のカバー部材の内周面とが接触するような形態では、金属製の回転軸部の外周面と金属製のカバー部材の内周面との間に、樹脂製の介在部材であるスリーブ部材４０のようなものを設けてもよい。
さらに、本実施形態による排水弁操作装置１では、樹脂製の介在部材としてスリーブ部材４０を採用した形態について説明したが、樹脂製の介在部材として、金属製のハンドル又は回転軸部の外周面と金属製のカバー部材の内周面と接触を妨げつつ、ハンドル及び回転軸部の摺動回転を可能にするものであれば、スリーブ部材以外の形態であってもよい。
【符号の説明】
【００３５】
１    本発明の一実施形態による排水弁操作装置
２    洗浄水タンク装置
３    水洗大便器
４    便器本体
６    ボウル部
８    排水トラップ管路
８ａ  排水トラップ管路の入口
１０    リム
１２    第１吐水口
１４    第２吐水口
１６    洗浄水タンク
１８    排水口
２０    給水装置
２２    排水弁体
２４    排水弁装置        
２６    洗浄水タンクの左側壁（洗浄水タンクの立壁部）
２６ａ  取付穴
２８    ガイド部材
２８ａ  雄ねじ
２８ｂ  挿入穴
２８ｃ  左側端部
３０    ナット
３２    金属製のハンドル
３２ａ  圧入用の取付穴
３２ｂ  ハンドルの軸方向内側部分
３４    回転軸部材（回転軸部、アーム）
３４ａ  屈曲部（屈曲した部分）
３４ｂ  屈曲部（屈曲した部分）
３４ｃ  屈曲部（屈曲した部分）
３６    鎖
３８    金属製のカバー部材（金属製のカバー部）
３８ａ  カバー部材の右側内縁部
４０    樹脂製のスリーブ部材（樹脂製の介在部材）
Ａ１    ハンドルの左右方向の中心軸線
Ｓ１    ハンドルの軸方向内側部分の外周面
Ｓ２    カバー部材の内周面
Ｗ０    溜水面
ＷＬ    満水水位
【図１】
2018096178.tif 000003
【図２】
2018096178.tif 000004
【図３】
2018096178.tif 000005
【図４】
2018096178.tif 000006
【図５】
2018096178.tif 000007